(57)【特許請求の範囲】
【請求項１】
二分割した外殻を構成するケース上およびケース下と、このケース下に開口した信号線を通す接続口と、この接続口よりケース内側に設けられ信号線を接続する端子接続部と、前記接続口をケース内側から閉塞し、前記端子接続部に信号線を接続した場合閉塞状態を保持する閉塞板と、前記端子接続部の外面側を覆い前記端子接続部を固定する補強部と、この補強部の外面側の溝に挿入され信号線の引き出し部分を閉塞する保護板を備えたリモートコントローラ。
【発明の詳細な説明】
【０００１】
【発明の属する技術分野】
本発明は、例えば給湯器の運転情報を送受信して制御するリモートコントローラに関するものである。
【０００２】
【従来の技術】
従来のリモートコントローラ（以下、リモコンと呼ぶ）を図４に示す。図４は従来のリモコンの構成を示す分解斜視図である。図４において、７は信号線、１はケース上、２は電装、４はケース下、３は端子接続部、５は信号線７の通し口であり、そしてケース上１とケース下４はビス６で止められている。またリモコンに信号線７を接続する場合には、ビス６を全て取り外してから、ケース上１とケース下４とを切り放し、ケース下４の通し口５に信号線７を通した後、電装２の端子接続部３に接続する構成になっていた。
【０００３】
【発明が解決しようとする課題】
しかしながら上記の従来の構成では、信号線７を接続する場合、ビス６を取り外す必要があり、この際作業者がビス６を紛失させたり、電装２に直接触れることにより電装不良が発生したりし、これらが作業不良要因の一つになっていた。
【０００４】
本発明は、上記従来の課題を解決するもので、ビスを取り外すことなく、またケース上下を切り放すことなく信号線の接続を行うことを目的とする。
【０００５】
【課題を解決するための手段】
本発明のリモートコントローラにおいては、ケース下に設けられ信号線を通す接続口と、ケース内に設けた端子接続部と、接続口をケース内側から閉塞する閉塞板と、端子接続部を固定する補強部と、信号線の引き出し部分を閉塞する保護板とを備えている。
【０００６】
この本発明によれば、ケースを分解することなくケース内部に設けられた端子接続部に信号線を容易に接続することができる。
【０００７】
【発明の実施の形態】
この目的を達成するために、本発明のリモコンは、二分割した外殻を構成するケース上およびケース下と、このケース下に開口した信号線の出入りする接続口と、接続口よりケース内側に設けられ信号線を接続する端子接続部と、接続口をケース内側から閉塞し、端子接続部に信号線を接続しても閉塞状態を保持する閉塞板と、端子接続部の外面側を覆い端子接続部を固定する補強部と、この補強部の外面側の溝に挿入して信号線の引き出し部分を閉塞する保護板を備えたものである。
【０００８】
そして、上記した手段により本発明のリモコンは、ビスとケース上を取り外さないで信号線の接続ができる。閉塞板は、信号線を接続した場合でも接続口の隙間を塞ぎ異物の侵入を防ぐことができ、信号線を接続する場合には信号線が閉塞板の上を滑りながら端子接続部に到達するため、容易な接続が可能である。補強部は、端子接続部に信号線を接続する場合や取り外す場合に端子接続部の半田割れを防止することができる。保護板は、信号線を接続しない場合に接続口を閉塞し異物の侵入を防ぐことができる。
【０００９】
【実施例】
以下、本発明のリモコンの実施例について、図面を参照しながら説明する。
【００１０】
図１は本発明の実施例を示す分解斜視図、図２はその断面図、図３は信号線７を接続したときの断面図である。図において、１はケース上、２は電装、３は端子接続部、４はケース下、６はビス、７は信号線、８は補強部、９は接続口、１０は保護板、１１は閉塞板、１２は接着剤、１３は小型ビス、１４は信号線を通す溝を示す。
【００１１】
本実施例においては、ケース下４にある溝１４の内面側に接着剤１２が付いた閉塞板１１を付ける。補強部８はケース下４と一体成形で加工されている。端子接続部３を半田で固定している電装２は、ケース上１に乗せ、小型ビス１３で固定する。ケース上１にケース下４をビス６で止める。接着剤１２の付いた保護板１０を補強部８の外面側の溝に挿入してケース下４の溝１４に張り付ける。接着剤１２の付いた保護板１０は離脱可能である。
【００１２】
図２は上記構成図を示す断面図である。閉塞板１１は、ケース下４の溝１４の内面側全体に張り付ける。閉塞板１１を張り付けたケース下４を、電装２を固定したケース上１に固定することにより、接続口９は端子接続部３と閉塞板１１により開口部が塞がれる。また端子接続部３も、補強部８により外面側が固定される。保護板１０は、端子接続部３に信号線７を接続しないとき、ケース下４に開けられた接続口９を塞いでいる。
【００１３】
図３は信号線７を接続したときの上記断面図である。接続口９を塞いでいる閉塞板１１の端子接続部３側は、接続口９の溝１４側の外面側を中心に電装２まで曲げられる。信号線７を接続するときは、保護板１０を取り外し、接続口９で塞いでいる閉塞板１１の上に、信号線７をすべらせるようにして端子接続部３に接続する。
【００１４】
次に本発明の特徴となる動作について説明する。図１で示したように、ケース下４にある溝１４の内面側に接着剤１２が付いた閉塞板１１を付ける。閉塞板１１は柔軟な塩化ビニル性であり、接続口９の部分では接着するところがないため固定されない。ケース下４とケース上１をビス１３で固定することにより、接続口９は閉塞板１１と端子接続部３により塞がれる。接続口９の閉塞板１１は、固定されていないため電装２まで曲げることができ、信号線７を端子接続部３に接続し易いように導くことができる。接続した後は接続口９の開口部を塞ぐことで、電装２に異物が侵入しないようにすることができる。
【００１５】
信号線７を端子接続部３から外すときに、端子接続部３は接続口９よりケース下４内側に沈めてあるため、端子接続部３が電装２から持ち上がる力が働き半田割れの原因につながることがある。ケース下４と一体形成している補強部８は、ケース下４とケース上１をビス１３で固定することにより、端子接続部３を上から覆い、固定することで信号線７を外すときに上に持ち上がろうとする力を抑えることができる。
【００１６】
信号線７を接続しないときは、端子接続部３に異物が接触して誤動作しないように、接続口９を保護板１０で塞ぐ。保護板１０には接着剤１２がついており、離脱可能となっているため、信号線７を接続するときは取り外すことができる。
【００１７】
このように、ケース下４の溝１４の内側に閉塞板１１を備えることにより、信号線７を端子接続部３に接続するときに接続し易いように導くことができ、接続しても異物がケース下４の内側に侵入を防ぐことができる。また、補強部８をケース下４と一体形成することで、端子接続部３は上から固定することができ、信号線７を端子接続部３から外すときに働く力を、抑えることができる。また、接着剤１２の付いた保護板１０を補強部８の外面側の溝に挿入してケース下４の溝１４に張り付けることにより、信号線７を端子接続部３に接続しないときは、端子接続部３に異物が接触しないようにすることができる。
【００１８】
なお、補強部は必ずしも一体形成にするのではなく、端子接続部を後から固定したり、電装に直接取り付けてもよい。また、閉塞板１１と保護板１０は防虫加工されたものを用いて、虫等の侵入を防いでもよい。
【００１９】
【発明の効果】
以上の説明から明らかなように、本発明によるリモコンは補強部の外面側の溝に挿入して信号線の引き出し部分を閉塞する保護板を備えることにより、ビスとケースを取り外さないで信号線の接続が可能となり、閉塞板を設けることにより、信号線を接続した場合でも接続口の隙間を塞ぎ異物の侵入を防ぐことができるとともに、信号線を接続する場合には信号線が閉塞板の上を滑りながら端子接続部に到達するため、容易な接続が可能である。
【００２０】
また、補強部により端子接続部に信号線を接続する場合や取り外す場合に端子接続部の半田割れを防止することができる。
【００２１】
さらに、保護板は信号線を接続しない場合に接続口を閉塞し異物の侵入を防ぐことができる。
【図面の簡単な説明】
【図１】本発明の一実施例のリモコンを示す分解斜視図
【図２】同リモコンの断面図
【図３】同リモコンの一接続例を示す断面図
【図４】従来のリモコンを示す分解斜視図
【符号の説明】
２  電装
３  端子接続部
４  ケース下
７  信号線
８  補強部
９  接続口
１０  保護板
１１  閉塞板
１２  接着剤
１４  溝
【図１】
0003543452.tif 000002
【図２】
0003543452.tif 000003
【図３】
0003543452.tif 000004
【図４】
0003543452.tif 000005